(57)【特許請求の範囲】
【請求項１】
原水が導入される酸生成槽と、該酸生成槽で酸が生成した水にアルカリ剤を添加して所定のｐＨ値にｐＨ調整するｐＨ調整手段と、該ｐＨ調整手段でｐＨ調整された水が導入されるメタン生成槽と、メタン生成槽の流出水の一部を酸生成槽に返送する手段とを備える二相式嫌気性排水処理装置において、
該ｐＨ調整手段のアルカリ添加量が許容範囲を超えた場合に警報を発する手段と
該ｐＨ調整手段のアルカリ添加量が許容範囲を超えた場合に原水の流入量を低減するか若しくは原水の流入を停止する手段と
のうちの少なくとも一方の手段を設けたことを特徴とする二相式嫌気性排水処理装置。
【発明の詳細な説明】
【０００１】
【発明の属する技術分野】
本発明はメタン生成工程への過負荷や阻害物流入による処理水の水質低下を簡便かつ迅速に検知して、メタン生成菌への悪影響を最小限に抑えるようにした二相式嫌気性排水処理装置に関する。
【０００２】
【従来の技術】
排水の嫌気性排水処理は、嫌気条件下において、酸生成菌により排水中の有機物を有機酸に変換する酸生成工程と、生成した有機酸を嫌気条件下においてメタン生成菌によりメタンに分解するメタン生成工程の２工程からなる。従って、嫌気性排水処理装置には、酸生成工程とメタン生成工程とを別の槽内で行う二相式のものと、これらを単一の槽で行う一相式のものとがあるが、嫌気槽における糸状性酸生成菌発生の防止、及び、酸生成菌とメタン生成菌の各々に好適なｐＨ条件の維持等の理由から二相式のものが多く採用されている。
【０００３】
二相式嫌気性排水処理装置は、主に酸生成槽及びメタン生成槽で構成され、メタン生成槽の入口側又は酸生成槽にはアルカリを添加してｐＨ調整するｐＨ調整手段が設けられている。即ち、メタン生成菌の好適ｐＨは６〜８であるため、酸生成により低ｐＨとなっている酸生成工程水にアルカリを添加してｐＨ調整を行う。メタン生成槽の流出水は一部が酸生成槽に返送され、残部は処理水として系外へ排出され、必要に応じて更に好気性処理装置などで高度処理が行われる。
【０００４】
このメタン生成槽から酸生成槽への処理水返送は、酸生成菌の返送（汚泥を返送して酸生成槽内の汚泥量を維持することにより、酸生成反応が安定し、水量や負荷変動に対応できる。）と、原水の希釈（原水の濃度が高いと微生物阻害を起こすため、返送処理水で希釈する。）と、酸生成槽のｐＨ調整（メタン生成工程の処理水には有機酸中和に用いられたアルカリ分が、メタン生成により有機酸が除去された後に余剰のアルカリ分として含まれているので、これを酸生成槽に戻して有機酸と反応させることにより、酸生成槽のｐＨの低下を防止でき、酸生成効率を高めることができる。）とを目的として行われる。
【０００５】
また、メタン生成槽からは、メタン生成反応で生成したメタンとＣＯ2 とで主に構成されるバイオガスが発生するが、このバイオガスはボイラーなどの燃料として有効利用される。
【０００６】
このような二相式嫌気性排水処理装置において、メタン生成工程への過負荷や阻害物の流入によって、メタン生成菌の活性が低下して処理水の有機酸ないし有機酸根濃度（以下、単に「有機酸濃度」と称す。）が上昇した場合には、これを可及的速やかに検知してメタン生成工程への流入負荷量を抑制し、処理水悪化の原因を突き止めて改善策をとる必要がある。即ち、メタン生成菌は、プロピオン酸等の有機酸ないし有機酸根により阻害を受けることから、処理水中の有機酸濃度が上昇した場合、メタン生成菌の活性が不可逆的に低下する恐れもあるため、これを的確に検知して、迅速に対策を講じる必要がある。
【０００７】
処理水中の有機酸濃度の上昇を検知するための従来法として、処理水の有機酸濃度を直接測定する方法と、処理水の溶解性ＣＯＤ又はＴＯＣを測定する方法とがあるが、これらの方法は、測定に要する時間が長く、また多大な労力が必要となるという欠点がある。
【０００８】
この有機酸濃度の上昇を検知する簡便法として、処理水のｐＨ低下又は発生したバイオガス中のＣＯ2 濃度の上昇を検知して、処理水悪化の目安とする方法もあるが、これらの指標は、処理水の循環比率Ｒ（原水の流入量に対する、処理水のうち酸生成槽に返送する流量の比）が上昇するにつれて、処理水有機酸濃度の変化に対する鋭敏性が失われるため、指標として不適当である。これは、処理水循環比率Ｒが高い場合、水質が低下した処理水に含まれる有機酸が返送されてｐＨ調整用アルカリ剤の使用量を増加させ、結果として有機酸濃度が高いにもかかわらず処理水のｐＨが高い値を示す傾向があるためである。また、この場合、炭酸成分の可溶分が増えることにより、バイオガス中のＣＯ2 濃度の上昇も起こりにくくなる。
【０００９】
【発明が解決しようとする課題】
このようなことから、従来においては、特に、処理水の循環比率Ｒが大きい場合においては、嫌気性排水処理水中の有機酸濃度の上昇を迅速かつ的確に検知することができなかった。
【００１０】
本発明は上記従来の問題点を解決し、処理水の水質低下を簡便かつ迅速に、的確に検知して、速やかに改善策を講じることができる二相式嫌気性排水処理装置を提供することを目的とする。
【００１１】
【課題を解決するための手段】
本発明の二相式嫌気性排水処理装置は、原水が導入される酸生成槽と、該酸生成槽で酸が生成した水にアルカリ剤を添加して所定のｐＨ値にｐＨ調整するｐＨ調整手段と、該ｐＨ調整手段でｐＨ調整された水が導入されるメタン生成槽と、メタン生成槽の流出水の一部を酸生成槽に返送する手段とを備える二相式嫌気性排水処理装置において、該ｐＨ調整手段のアルカリ添加量が許容範囲を超えた場合に警報を発する手段と該ｐＨ調整手段のアルカリ添加量が許容範囲を超えた場合に原水の流入量を低減するか若しくは原水の流入を停止する手段とのうちの少なくとも一方の手段を設けたことを特徴とする。
【００１２】
アルカリ添加量は、処理水の循環比率Ｒが高い場合において、処理水の有機酸濃度の上昇に鋭敏に対応して変化するため、このアルカリ添加量を指標とすることで、処理水の有機酸濃度の上昇を簡便かつ迅速に、しかも的確に検知することができる。
【００１３】
図２，図３，図４，図５は、酸生成槽、ｐＨ調整手段及びメタン生成槽よりなる二相式嫌気性排水処理装置により糖系排水を処理する場合の処理水の有機酸残留量と、ｐＨ調整手段におけるＣＯＤ負荷当りのアルカリ添加量、バイオガスのＣＯ2 濃度、酸生成槽内ｐＨ及び処理水ｐＨとの関係をそれぞれ示すグラフであるが、これらのグラフより明らかなように、処理水の循環比率Ｒが大きい場合には、処理水の有機酸残留量の上昇に対する処理水ｐＨ及びバイオガスのＣＯ2 濃度の変化は、特に有機酸残留量の比較的少ない範囲でさほど大きくないのに対し、アルカリ添加量は、有機酸残留量０〜１００％の全領域で、処理水の有機酸残留量の上昇に比例して大きく変化する。なお、酸生成槽内のｐＨは殆ど変化しない。
【００１４】
従って、アルカリ添加量を指標とし、この値が許容範囲を超えた場合に警報を発するか、或いは、原水の流入量を低減するか原水の流入を停止する本発明によれば、処理水の有機酸濃度の上昇を簡便かつ的確に検知して、迅速に対策を講じることができる。
【００１５】
【発明の実施の形態】
以下、図面を参照して本発明の実施の形態を詳細に説明する。
【００１６】
図１は本発明の実施の形態を示す系統図である。
【００１７】
食品工場排水、紙パルプ工場排水などの産業排水、下水、し尿、汚泥、有機性廃棄物などの有機物含有排水等の原水は、ポンプ１Ａにより、まず、酸生成槽１に導入され、嫌気条件下に酸生成菌と混合されることにより、液中の有機物が酢酸、プロピオン酸、乳酸などの有機酸に変換される。この酸生成槽１では、有機酸の生成によりｐＨが低下し、通常、槽内ｐＨは４〜６となる。この酸生成槽１の滞留時間は通常の場合、２〜４８時間程度である。
【００１８】
酸生成槽１の流出水は次いでｐＨ調整槽２でｐＨ調整された後、メタン生成槽３に導入される。このｐＨ調整槽２には、ｐＨ計２Ｂとこれに連動するＮａＯＨ水溶液等のアルカリの薬注ポンプ２ＡよりなるｐＨ調整手段が設けられており、アルカリの添加により、液ｐＨは、メタン生成菌の好適ｐＨであるｐＨ６〜８程度に調整される。
【００１９】
ｐＨ調整槽２でｐＨ調整された液はメタン生成槽３に導入され、メタン生成菌により、酸生成槽１で生成した有機酸が嫌気条件下メタンに分解される。このメタン生成槽３の滞留時間は通常、５〜７２時間程度である。
【００２０】
メタン生成槽３の処理水のうちの一部は酸生成菌の返送、原水の希釈、ｐＨ調整の目的で、酸生成槽１に返送され、残部は系外へ排出されて必要に応じて好気性処理等の高度処理に供される。
【００２１】
メタン生成槽３で生成するバイオガスは、図示しない配管より系外へ排出され、ボイラー、発電機等の燃料として使用することができる。
【００２２】
本実施例の二相式嫌気性排水処理装置では、ｐＨ調整槽２にアルカリを添加する薬注ポンプ２Ａによるアルカリ添加量を制御装置４で検出し、この値が予め設定した上限値を超えた場合に警報を発すると共に、原水ポンプ１Ａの作動を制御して、原水の流入を停止するか或いは原水の流入量を低減する。これにより、メタン生成槽３の負荷を軽減して、メタン生成菌への阻害作用を最小限にとどめることができる。
【００２３】
このような本発明の二相式嫌気性排水処理装置は、処理水の循環比率Ｒが高い場合ほど、処理水の有機酸濃度の上昇に対するアルカリ添加量の増加が顕著に現れるため有効である。この処理水の循環比率Ｒは、通常の場合、運転中も原水の流入量変動や水質変動により設計値に対して若干変動し、例えば原水の流入量が低下することで、循環比率Ｒは設計値よりも高められる。本発明の二相式嫌気性排水処理装置は循環比率Ｒの設計値が０．５以上、とくに２以上、とりわけ２〜１０の範囲に設定された二相式嫌気性排水処理装置に有効である。
【００２４】
本発明において、アルカリ添加量が許容範囲を超えた場合において、警報を発する場合、具体的には、警報ランプの点灯又は警報ブザー等を採用することができる。また、原水の流入を停止したり、或いは、原水流入量を低減したりする場合、余剰の原水は一時的に別途設けた貯留槽又は原水調整槽に貯留するようにすれば良い。
【００２５】
警報を発したり、原水の流入を制御する基準値となるアルカリ添加量の上限値を設定する場合、原水の水質及び流入量、循環比率或いはその変動幅等に応じて、予め処理水の有機酸濃度の変化に応じたアルカリ添加量の変化を求めておくのが好ましいが、一般的には、アルカリ添加量が通常時よりも１０〜５０％程度、例えば１５％増加した値を上限値として設定するのが好ましい。また、アルカリ添加量の増加が少ない場合には原水の流入量を若干低減し、アルカリ添加量の増加が多い場合には、原水の流入を停止するというように、アルカリ添加量の増加幅に応じて制御しても良い。
【００２６】
原水の流入を制御する場合、ポンプの作動やバルブの切り換えを制御装置で自動的に操作するようにしても良く、また、警報を受けて手動によりこの操作を行うようにしても良い。また、アルカリ添加量の測定方法は、薬注ポンプによる添加量を調べるものの他、アルカリ貯槽内の液位の減少速度から求めるものであっても良い。
【００２７】
なお、図１においては、ｐＨ調整槽２を設け、このｐＨ調整槽２にアルカリを添加してｐＨ調整を行っているが、ｐＨ調整槽を設けることなく、アルカリを酸生成槽１に直接添加してｐＨ調整しても良く、また、酸生成槽１からメタン生成槽３への液移送配管にアルカリを注入してｐＨ調整するようにしても良い。
【００２８】
本発明の二相式嫌気性排水処理装置は、ＵＡＳＢ（Ｕｐｆｌｏｗ  Ａｎａｅｒｏｂｉｃ  Ｓｌｕｄｇｅ  Ｂｌａｎｋｅｔ；上向流嫌気性汚泥床）方式嫌気性排水処理装置や固定床型嫌気性排水処理装置等、各種の二相式嫌気性排水処理装置に有効に適用可能である。
【００２９】
【実施例】
以下に実施例及び比較例を挙げて本発明をより具体的に説明する。
【００３０】
実施例１，比較例１
図１に示す構成の実験用二相式ＵＡＳＢ装置（酸生成槽容量１０Ｌ、ｐＨ調整槽容量０．５Ｌ、メタン生成槽容量２５Ｌ、処理水循環比率Ｒ＝８）を用い、ブドウ糖を主成分とするＣＯＤ濃度２０，０００ｍｇ／Ｌの合成排水の処理を行った。ｐＨ調整槽では、ＵＡＳＢメタン生成槽への流入水ｐＨが６．５になるようにアルカリ（ＮａＯＨ）剤を注入した。
【００３１】
この処理において、実施例１では、ｐＨ調整槽のアルカリ添加量（平常時は１３０ｋｇ−ＮａＯＨ／ｔｏｎ−ＣＯＤ）が、１５０ｋｇ−ＮａＯＨ／ｔｏｎ−ＣＯＤを超える場合において警報を発して、原水の流入を停止するように制御を行った。
【００３２】
一方、比較例１では、処理水のｐＨを指標とし、処理水ｐＨが５．５以下となる場合に警報を発して原水の流入を停止するように制御を行った。
【００３３】
ＵＡＳＢメタン生成槽に対するＣＯＤ負荷量を、通常運転の１５ｋｇ／ｍ3 ／ｄａｙから、一気に４０ｋｇ／ｍ3 ／ｄａｙに上昇させて実験を行ったところ、表２に示す如く、比較例１においては処理水中の有機酸濃度が上昇し、主にプロピオン酸による阻害によってメタン生成槽のメタン生成菌の活性が完全に失われてしまった。
【００３４】
これに対して、実施例１においては、表１に示したようにアルカリ添加量の増加を検知して負荷を自動的に停止したため、メタン生成菌の活性を維持することができた。
【００３５】
実際の現場においては、比較例１のような場合には、メタン生成菌の活性回復には数ケ月の期間がかかるため、新しい種汚泥を入手して再立ち上げを行う必要がある等、多大の損害が生じると考えられる。一方、実施例１のような装置であれば、負荷を停止し、事故原因となった高濃度排水を一時的に貯留し、時間をかけて徐々に処理するなどして有効な対策を講じることが可能である。
【００３６】
【表１】
0003906509.tif 000002
【００３７】
【表２】
0003906509.tif 000003
【００３８】
【発明の効果】
以上詳述した通り、本発明の二相式嫌気性排水処理装置によれば、処理水の水質低下を簡便かつ迅速に、しかも的確に検知して、速やかに対策を講じ、メタン生成菌への阻害作用を最小限にとどめることができる。
【図面の簡単な説明】
【図１】本発明の二相式嫌気性排水処理装置の実施の形態を示す系統図である。
【図２】処理水の有機酸残留量とアルカリ添加量との関係を示すグラフである。
【図３】処理水の有機酸残留量とバイオガスのＣＯ2 濃度との関係を示すグラフである。
【図４】処理水の有機酸残留量と処理水ｐＨとの関係を示すグラフである。
【図５】処理水の有機酸残留量と酸生成槽内ｐＨとの関係を示すグラフである。
【符号の説明】
１  酸生成槽
２  ｐＨ調整槽
３  メタン生成槽
４  制御装置
【図１】
0003906509.tif 000004
【図２】
0003906509.tif 000005
【図３】
0003906509.tif 000006
【図４】
0003906509.tif 000007
【図５】
0003906509.tif 000008